(57)【要約】【課題】優れた洗浄力と、希釈時の良好な安定性とを有しており、しかも、環境負荷や人体に及ぼす影響が小さい洗浄剤組成物を提供すること。【解決手段】アニオン界面活性剤と、アルコールと、テルペン系化合物とを含む濃縮タイプの洗浄剤組成物において、前記アニオン界面活性剤として、例えば、ヤシ油脂肪酸由来の脂肪酸塩を配合することにより、少なくとも、炭素数１４〜２２の脂肪酸の塩からなる第１の脂肪酸塩を含有し、任意に、炭素数６〜１３の脂肪酸の塩からなる第２の脂肪酸塩を含有する組成とする。【選択図】なし【特許請求の範囲】
【請求項１】
アニオン界面活性剤と、アルコールと、テルペン系化合物とを含み、
前記アニオン界面活性剤は、炭素数１４〜２２の脂肪酸の塩からなる第１の脂肪酸塩を含んでいることを特徴とする、洗剤組成物。
【請求項２】
前記アニオン界面活性剤が、さらに、炭素数６〜１３の脂肪酸の塩からなる第２の脂肪酸塩を含んでいることを特徴とする、請求項１に記載の洗剤組成物。
【請求項３】
前記アニオン界面活性剤が、ヤシ油脂肪酸由来の脂肪酸塩であることを特徴とする、請求項１または２に記載の洗剤組成物。
【請求項４】
前記アニオン界面活性剤が、さらに、合成の脂肪酸由来の前記第１の脂肪酸塩を含有していることを特徴とする、請求項３に記載の洗剤組成物。
【請求項５】
前記アニオン界面活性剤が、不飽和脂肪酸塩を含有していることを特徴とする、請求項１〜４のいずれかに記載の洗剤組成物。
【請求項６】
さらに、アルカリ剤を含んでいることを特徴とする、請求項１〜５のいずれかに記載の洗剤組成物。
【請求項７】
前記アニオン界面活性剤の含有割合が、前記洗剤組成物全体の２５重量％以上であることを特徴とする、請求項１〜６のいずれかに記載の洗剤組成物。
【発明の詳細な説明】
【技術分野】
【０００１】
本発明は、洗剤組成物に関し、詳しくは、濃縮タイプの洗剤組成物に関する。
【背景技術】
【０００２】
従来、食器、調理用器具、野菜、果物、台所用品などの洗浄に用いられる洗剤組成物として、使用時に水に希釈する濃縮タイプの洗剤組成物が知られている。このような濃縮タイプの洗剤組成物として、特許文献１には、脂肪酸アルカノールアミドを含む水溶性界面活性剤を６０重量％以上含有し、かつ水分が１５重量％未満である濃縮洗剤組成物が記載されている。
【特許文献１】特開平７−３１００９９号公報
【発明の開示】
【発明が解決しようとする課題】
【０００３】
しかしながら、特許文献１に記載の濃縮洗剤組成物は、水で希釈したときの安定性が低く、白濁する。このため、水で希釈された特許文献１に記載の濃縮洗剤組成物は、例えば、スプレー剤として使用する場合にノズルの目詰りが生じやすいという不具合がある。
【０００４】
さらに、特許文献１に具体的に記載されている濃縮洗剤組成物では、脂肪酸アルカノールアミド以外の水溶性界面活性剤として、直鎖アルキルベンゼンスルホン酸塩−トリエタノールアミン（ＬＡＳ−ＴＥＡ）、アルキル硫酸エステル（ＡＳ）−トリエタノールアミンなどのアニオン界面活性剤や、ポリオキシエチレンアルキルエーテル、アルキルグルコシドなどのノニオン界面活性剤が用いられているが、これらは生分解性が低く、環境に対する負荷が大きいものであるか、または、手荒れの原因になりやすいなど、人体に対する影響が懸念されるものである。
【０００５】
そこで、本発明の目的は、優れた洗浄力と、希釈時の良好な安定性とを有しており、しかも、環境負荷や人体に及ぼす影響が小さい洗浄剤組成物を提供することにある。
【課題を解決するための手段】
【０００６】
前記の目的を達成するために、本発明の洗剤組成物は、アニオン界面活性剤と、アルコールと、テルペン系化合物とを含み、前記アニオン界面活性剤は、炭素数１４〜２２の脂肪酸の塩からなる第１の脂肪酸塩を含んでいることを特徴としている。
【０００７】
前記洗剤組成物は、優れた洗浄力を有しており、さらに、水で希釈したときに、安定して均一な分散状態を示す。また、前記洗剤組成物は、主たる成分が、アニオン界面活性剤と、アルコールと、テルペン化合物であることから、環境に対する負荷や、人体に及ぼす影響を小さくすることができる。
【０００８】
前記洗剤組成物において、前記アニオン界面活性剤は、さらに、炭素数６〜１３の脂肪酸の塩からなる第２の脂肪酸塩を含んでいることが好適である。
【０００９】
前記洗剤組成物において、前記アニオン界面活性剤は、ヤシ油脂肪酸由来の脂肪酸塩であることが好適である。
【００１０】
前記洗剤組成物のアニオン界面活性剤がヤシ油脂肪酸由来の脂肪酸塩である場合において、前記アニオン界面活性剤は、さらに、合成の脂肪酸由来の前記第１の脂肪酸塩を含有していることが好適である。
【００１１】
前記洗剤組成物において、前記アニオン界面活性剤は、不飽和脂肪酸塩を含有していることが好適である。
【００１２】
前記洗剤組成物は、さらに、アルカリ剤を含んでいることが好適である。
【００１３】
前記洗剤組成物は、前記アニオン界面活性剤の含有割合が、前記洗剤組成物全体の２５重量％以上であることが好適である。
【発明の効果】
【００１４】
本発明の洗浄剤組成物は、洗浄力に優れ、水希釈時の安定性が良好で、環境および人体に及ぼす影響が極めて少ない。このため、本発明の洗浄剤組成物は、水希釈用の洗剤組成物として好適である。
【発明を実施するための最良の形態】
【００１５】
本発明の洗剤組成物は、アニオン界面活性剤と、アルコールと、テルペン系化合物とを含んでいる。
【００１６】
アニオン界面活性剤は、前記洗剤組成物の必須の配合成分であって、少なくとも、炭素数１４〜２２の脂肪酸の塩からなる第１の脂肪酸塩を含んでいる。
【００１７】
第１の脂肪酸塩を形成する炭素数１４〜２２の脂肪酸としては、例えば、ミリスチン酸（テトラデカン酸、１４：０）、ペンタデカン酸（１５：０）、パルミチン酸（ヘキサデカン酸、１６：０）、ヘプタデカン酸（１７：０）、ステアリン酸（オクタデカン酸、１８：０）、ノナデカン酸（１９：０）、アラキジン酸（イコサン酸、２０：０）、ベヘン酸（ドコサン酸、２２：０）などの、炭素数１４〜２２の飽和脂肪酸と、例えば、パルミトイル酸（ヘキサデセン酸、１６：１）、オレイン酸（オクタデセン酸、１８：１）、リノール酸（オクタデカジエン酸、１８：２）、リノレン酸（オクタデカトリエン酸、１８：３）、アラキドン酸（イコサテトラエン酸、２０：４）、リシノレン酸（１８：１）などの、炭素数１４〜２２の不飽和脂肪酸と、が挙げられる。なお、上記脂肪酸の名称に付した「１４：０」、「１６：１」などの表示は、脂肪酸の炭素数と、二重結合の数とを示している。
【００１８】
炭素数１４〜２２の脂肪酸は、上記例示のなかでも、好ましくは、ミリスチン酸（１４：０）、パルミチン酸（１６：０）、ステアリン酸（１８：０）、ベヘン酸（２２：０）、オレイン酸（１８：１）、リノール酸（１８：２）、リノレン酸（１８：３）、リシノレン酸（１８：１）が挙げられ、さらに好ましくは、ミリスチン酸（１４：０）、パルミチン酸（１６：０）、ステアリン酸（１８：０）、ベヘン酸（２２：０）、オレイン酸（１８：１）、リノール酸（１８：２）が挙げられる。
【００１９】
第１の脂肪酸塩を形成する金属イオンとしては、例えば、ナトリウムイオン、カリウムイオンなどのアルカリ金属イオンが挙げられ、第１の脂肪酸塩の水溶性の観点より、好ましくは、カリウムイオンが挙げられる。
【００２０】
アニオン界面活性剤は、さらに、炭素数６〜１３の脂肪酸の塩からなる第２の脂肪酸塩を含んでいてもよい。
【００２１】
第２の脂肪酸塩を形成する炭素数６〜１３の脂肪酸としては、例えば、カプロン酸（ヘキサン酸、６：０）、ヘプタン酸（７：０）、カプリル酸（オクタン酸、８：０）、ノナン酸（９：０）、カプリン酸（デカン酸、１０：０）、ウンデカン酸（１１：０）、ラウリン酸（ドデカン酸、１２：０）、トリデカン酸（１３：０）などが挙げられる。なかでも、好ましくは、カプリル酸（８：０）、カプリン酸（１０：０）、ラウリン酸（ドデカン酸、１２：０）が挙げられる。
【００２２】
第２の脂肪酸塩を形成する金属イオンは、第１の脂肪酸塩を形成する金属イオンと同様であり、例えば、ナトリウムイオン、カリウムイオンなどのアルカリ金属イオンが挙げられる。また、第２の脂肪酸塩の水溶性の観点より、好ましくは、カリウムイオンが挙げられる。
【００２３】
アニオン界面活性剤は、例えば、ヤシ油脂肪酸に由来する脂肪酸塩として供給される。ヤシ油脂肪酸は、一般に、カプリル酸（８：０）、カプリン酸（１０：０）、ラウリン酸（１２：０）、ミリスチン酸（１４：０）、パルミチン酸（１６：０）、ステアリン酸（１８：０）、オレイン酸（１８：１）、およびリノール酸（１８：２）の混合物であることから、ヤシ油脂肪酸由来の脂肪酸塩は、第１の脂肪酸塩と、第２の脂肪酸塩との両方を含んでいる。それゆえ、アニオン界面活性剤としてヤシ油脂肪酸由来の脂肪酸塩を用いることにより、第１の脂肪酸塩と、第２の脂肪酸塩との両方を供給することができ、優れた洗浄力と、希釈時の良好な安定性とを有し、かつ、環境負荷や人体に及ぼす影響が小さい洗浄剤組成物を提供することができる。
【００２４】
なお、ヤシ油脂肪酸は、ヤシ科ココヤシ属（Ｃｏｃｏｓ  ｎｕｃｉｆｅｒａ  Ｌｉｎｎｅ（Ｐａｌｍａｅ）など）の植物の種子から、公知の搾取方法および精製方法によって得られる。例えば、日本薬局方に収載の精製ヤシ油は、粉砕したコプラを蒸煮して圧搾し、浮遊物を除去後、精製することにより得られる（第１４改正  日本薬局方解説書Ｄ−１１６０〜１１６１参照）。
【００２５】
アニオン界面活性剤における第１の脂肪酸塩と、第２の脂肪酸塩との含有割合は、特に限定されないが、好ましくは、重量比で、２０：８０〜１００：０であり、さらに好ましくは、４０：６０〜６０：４０である。第１の脂肪酸塩の含有割合が上記範囲を下回ると、前記洗剤組成物の希釈時における安定性が低下するおそれがある。
【００２６】
アニオン界面活性剤がヤシ油脂肪酸由来の脂肪酸塩として供給される場合には、前記洗剤組成物に対し、さらに、合成の脂肪酸由来の第１の脂肪酸塩（炭素数１４〜２２の脂肪酸の塩）を配合することが好ましい。
【００２７】
ヤシ油脂肪酸由来の脂肪酸塩は、前述のとおり、第１の脂肪酸塩と第２の脂肪酸塩との両方を含んでいるが、一般に、第１の脂肪酸塩と第２の脂肪酸塩との含有割合は、３０：７０〜４０：６０程度であって、第１の脂肪酸塩の含有割合が第２の脂肪酸塩の含有割合よりも低い。一方、ヤシ油脂肪酸由来の脂肪酸塩とともに、合成の脂肪酸由来の第１の脂肪酸塩を含有させることにより、アニオン界面活性剤の総量に対する第１の脂肪酸塩の含有割合を大きくすることができる。また、これにより、洗剤組成物の洗浄力と、希釈時の安定性とが、より一層良好なものとなる。
【００２８】
合成の脂肪酸由来の第１の脂肪酸塩における脂肪酸としては、前述の炭素数１４〜２２の脂肪酸と同じものが挙げられ、好ましくは、ミリスチン酸（１４：０）、パルミチン酸（１６：０）、ステアリン酸（１８：０）、ベヘン酸（２２：０）、オレイン酸（１８：１）、リノール酸（１８：２）が挙げられる。また、合成の脂肪酸由来の第１の脂肪酸塩を形成する金属イオンとしては、第１の脂肪酸塩を形成する金属イオンと同じものが挙げられ、水溶性の観点より、好ましくは、カリウムイオンが挙げられる。
【００２９】
前記洗剤組成物は、前記第１の脂肪酸塩を含有していることから、洗剤組成物の洗浄力や、洗剤組成物を水で希釈したときの安定性を良好なものとすることができる。また、さらに、前記第２の脂肪酸塩を含有しているときは、洗剤組成物の洗浄力や、洗剤組成物を水で希釈したときの安定性を、より一層良好なものとすることができる。
【００３０】
また、前記アニオン界面活性剤は、不飽和脂肪酸塩を含んでいることが好ましい。不飽和脂肪酸塩の含有割合は、特に限定されないが、アニオン界面活性剤の総量に対する重量割合で、好ましくは、３重量％以上、さらに好ましくは、５〜１５重量％である。アニオン界面活性剤として不飽和脂肪酸塩を含有することで、前記洗剤組成物の水による希釈時において、白濁の発生を抑制できる。
【００３１】
不飽和脂肪酸塩を形成する不飽和脂肪酸としては、例えば、パルミトイル酸（１６：１）、オレイン酸（１８：１）、リノール酸（１８：２）、リノレン酸（１８：３）、アラキドン酸（２０：４）、リシノレン酸（１８：１）などが挙げられる。なかでも、好ましくは、オレイン酸（１８：１）、リノール酸（１８：２）が挙げられる。
【００３２】
なお、前述のヤシ油脂肪酸は、不飽和脂肪酸として、オレイン酸（１８：１）、およびリノール酸（１８：２）を含有しており、ヤシ油脂肪酸由来の脂肪酸塩に占める不飽和脂肪酸塩の割合は、一般に、３〜１０重量％程度である。それゆえ、アニオン界面活性剤として、ヤシ油脂肪酸由来の脂肪酸塩を用いることにより、洗剤組成物の洗浄力や、洗剤組成物を水で希釈したときの安定性を良好なものとしつつ、水による希釈時の白濁を抑制することができる。
【００３３】
また、前記洗剤組成物は、アニオン界面活性剤として、前述の脂肪酸塩以外のアニオン界面活性剤を含有していてもよい。このようなアニオン界面活性剤としては、例えば、直鎖アルキルベンゼンスルホン酸塩（ＬＡＳ）、α−スルホ脂肪酸メチルエステル塩（α−ＳＦ）、アルキル硫酸エステル塩（ＡＳ）、アルキルエーテル硫酸エステル塩（ＡＥＳ）、（モノ）アルキルリン酸エステル塩（ＭＡＰ）、α−オレフィンスルホン酸塩（ＡＯＳ）、アルカンスルホン酸塩（ＳＡＳ）、ポリオキシエチレンアルキルエーテル酢酸塩などが挙げられる。
【００３４】
アルコールは、前記洗剤組成物の必須の配合成分である。アルコールの具体例としては、例えば、メタノール、エタノール、１−プロパノール、２−プロパノール、１−ブタノール、２−ブタノールなどの、炭素数１〜４のアルコールが挙げられ、好ましくは、エタノールが挙げられる。
【００３５】
前記洗剤組成物は、このような炭素数１〜４のアルコールを含有することで、洗剤組成物を水で希釈したときの安定性を良好なものとすることができる。
【００３６】
また、上記洗剤組成物の溶媒には、上記アルコールとともに、例えば、アセトン、メチルエチルケトンなどのケトン系溶媒、例えば、エチレングリコール、ジエチレングリコール、プロピレングリコール、ジプロピレングリコールなどのグリコール系溶媒、例えば、グリセリン、などの各種の水溶性溶媒を用いてもよい。
【００３７】
テルペン系化合物は、前記洗剤組成物の必須の配合成分である。テルペン系化合物の具体例としては、例えば、テルペン炭化水素、テルペンアルコール、テルペンアルデヒド、テルペンケトンなどが挙げられる。
【００３８】
テルペン炭化水素としては、例えば、ミルセン、オシメン、リモネン（さらに具体的には、例えば、Ｄ−リモネン、Ｌ−リモネン、ＤＬ−リモネンなど）、テルピノレン、テルピネン、フェランドレン、シルベストレン、サビネン、カレン、ピネン、カンフェン、トリシクレン、フェンチェンなどのモノテルペン系炭化水素、例えば、ビサボレン、ジンギベレン、クルクメン、カジネン、セスキベニヘン、サンタレン、カリオフィレン、セドレン、ロンギホレンなどのセスキテルペン系炭化水素、例えば、カンホレン、ポドカルプレン、ミレン、フィロクラデン、トタレンなどのジテルペン系炭化水素などが挙げられる。
【００３９】
テルペンアルコールとしては、例えば、シトロネロール、ゲラニオール、ネロール、リナロール、メントール、テルピネオール、カルベオール、ツイルアルコール、ピノカンフェオール、フェンチルアルコール、ボルネオールなどのモノテルペン系アルコール、例えば、ファルネソール、ネロリドール、カジノール、オイデスモール、グアヨール、パチュリアルコール、カロトール、ランセオール、セドロール、ケッソグリコールなどのセスキテルペン系アルコール、例えば、フィトール、スクラレオール、マノール、ヒノキオール、フェルギノール、トタロールなどのジテルペン系アルコールなどが挙げられる。
【００４０】
テルペンアルデヒドとしては、例えば、シトロネラール、シトラール、シクロシトラール、サフラナール、フェランドラール、ペリルアルデヒドなどのモノテルペン系アルデヒドなどが挙げられる。
【００４１】
テルペンケトンとしては、例えば、ダゲトン、ヨノン、イロン、メントン、カルボメントン、カルボタナセトン、ピペリテノン、ツヨン、カロン、ショウノウなどのモノテルペン系ケトン、例えば、シペロン、エレモフィロン、ゼルンボンなどのセスキテルペン系ケト、例えば、スギオール、ケトマノイルオキシドなどのジテルペン系ケトンなどが挙げられる。
【００４２】
また、テルペン系化合物としては、上記以外にも、シネオール、ピノール、アスカリドールなどのモノテルペン系オキシドなどの含酸素系テルペン、例えば、シトロネル酸、ヒノキ酸、サンタル酸、ピマル酸、ネオアビエチン酸、レボピマル酸、イソ−ｄ−ピマル酸、アガテンジカルボン酸、ルベニン酸などのカルボン酸系テルペンなどが挙げられる。
【００４３】
これらテルペン系化合物は、例えば、植物からの抽出物であって、より具体的には、例えば、オレンジ油、ミカン油、レモン油、ハッカ（薄荷）油、橙花油、ライム油などの柑橘類の油（精油）、例えば、ユーカリの精油、ヒノキの精油、ヒバの精油、松精油（テルペン油）などの天然物中に存在する形態であってもよい。
【００４４】
これらテルペン系化合物は、単独で、または２種以上を混合して、用いられる。
【００４５】
また、これらテルペン系化合物としては、好ましくは、テルペン炭化水素が挙げられ、さらに好ましくは、モノテルペン系炭化水素が挙げられ、とりわけ好ましくは、リモネン（例えば、Ｄ−リモネン、Ｌ−リモネン、ＤＬ−リモネンなど）が挙げられる。
【００４６】
アルカリ剤は、前記洗剤組成物の任意の配合成分であって、ビルダー（助剤）として配合される。アルカリ剤の具体例としては、例えば、炭酸アルカリ金属塩、ケイ酸アルカリ金属塩、硫酸アルカリ金属塩、酢酸アルカリ金属塩などのアルカリ金属塩が挙げられる。また、これらアルカリ金属塩を形成するアルカリ金属としては、例えば、ナトリウム、カリウムなどが挙げられる。アルカリ剤は、これらアルカリ金属塩を単独で、または２種以上を混合して用いられる。なかでも好ましくは、炭酸アルカリ金属塩が挙げられ、さらに好ましくは、炭酸カリウムが挙げられる。
【００４７】
前記洗剤組成物は、このようなアルカリ剤を含有することにより、洗剤組成物の洗浄力をより一層優れたものとすることができる。
【００４８】
さらに、前記洗剤組成物には、必要に応じて、公知の添加剤、例えば、金属イオン封鎖能を有する無機または有機ビルダー、酸化防止剤、増粘剤、蛍光剤、漂白剤、酵素、香料、着色料などを添加してもよい。
【００４９】
前記洗剤組成物において、アニオン界面活性剤の含有割合は、特に限定されないが、例えば、洗剤組成物の供給時（希釈前）における洗剤組成物の総量に対し、好ましくは、２５重量％以上であり、さらに好ましくは、３５重量％以上である。すなわち、前記洗剤組成物は、いわゆる濃縮タイプの洗剤組成物として供給される。
【００５０】
アルコールの含有割合は、特に限定されないが、例えば、アニオン界面活性剤１００重量部に対し、好ましくは、２０〜８０重量部であり、さらに好ましくは、３０〜６０重量部である。また、アルコールの含有割合は、前記洗剤組成物を濃縮タイプの洗剤組成物として供給する場合において、洗剤組成物の総量に対し、好ましくは、５〜５０重量％であり、さらに好ましくは、１０〜２５重量％である。
【００５１】
テルペン系化合物の含有割合は、特に限定されないが、例えば、アニオン界面活性剤１００重量部に対し、好ましくは、５〜４０重量部であり、さらに好ましくは、１０〜２０重量部である。また、テルペン系化合物の含有割合は、前記洗剤組成物を濃縮タイプの洗剤組成物として供給する場合において、洗剤組成物の総量に対し、好ましくは、１〜２０重量％であり、さらに好ましくは、２〜１０重量％である。
【００５２】
アルカリ剤の含有割合は、特に限定されないが、例えば、アニオン界面活性剤１００重量部に対し、好ましくは、２０重量部以下であり、さらに好ましくは、５〜１０重量部である。また、テルペン系化合物の含有割合は、前記洗剤組成物を濃縮タイプの洗剤組成物として供給する場合において、洗剤組成物の総量に対し、好ましくは、２０重量％以下であり、さらに好ましくは、２〜１０重量％である。
【００５３】
前記洗剤組成物は、アニオン界面活性剤と、アルコールと、テルペン系化合物とを、適宜の割合で配合し、必要に応じて、アルカリ剤などを適宜の割合で配合し、さらに、残余として水を配合した上で、公知の方法により混合して、溶解または分散することにより、調製される。
【００５４】
前記洗剤組成物は、例えば、食器、調理用器具、野菜、果物、台所用品などの洗浄に用いることができる。
【００５５】
前記洗剤組成物の剤型は、特に限定されないが、例えば、希釈して使用するための濃縮洗剤組成物として供給することができる。
【００５６】
また、前記洗剤組成物は、水で希釈後、例えば、トリガースプレー（ハンドスプレー）などに充填し、スプレー剤として使用することができる。前記洗剤組成物は、水で希釈した状態での安定性に優れることから、トリガースプレーなどの噴射口における目詰まりが抑制される。
【００５７】
前記洗剤組成物の使用量は、使用状況、用途などに応じて適宜設定されるが、例えば、食器、調理用器具、台所用品などの洗浄の用途には、水で２〜１０倍に希釈して使用すればよく、例えば、野菜、果物などの洗浄の用途には、水で４〜２０倍に希釈して使用すればよい。
【実施例】
【００５８】
次に、実施例および比較例を挙げて、本発明の洗剤組成物を具体的に説明するが、本発明は、下記の実施例によって限定されるものではない。
【００５９】
下記の実施例および比較例において、ヤシ油脂肪酸塩には、日本油脂（株）製のヤシ油脂肪酸カリウム塩、商品名「ノンサール（登録商標）ＬＫ−５」と、日本油脂（株）製のヤシ油脂肪酸ナトリウム塩、商品名「ノンサール（登録商標）ＬＮ−１」と、を使用した。これらヤシ油脂肪酸塩の組成については、その総量に対し、第１の脂肪酸塩を約４０重量％、第２の脂肪酸塩を約６０重量％の割合で、それぞれ含有していると仮定した。また、その総量に対し、不飽和脂肪酸塩を約６重量％の割合で含有していると仮定した。
【００６０】
合成の脂肪酸塩には、ミリスチン酸カリウム（１４：０、日本油脂（株）製の商品名「ノンサール（登録商標）ＭＫ−１」）と、パルミチン酸カリウム（１６：０、日本油脂（株）製の商品名「ノンサール（登録商標）ＰＫ−１」）と、ステアリン酸カリウム（１８：０、日本油脂（株）製の商品名「ノンサール（登録商標）ＳＫ−１」）と、ベヘン酸カリウム（２２：０、日本油脂（株）製のベヘニン酸（ベヘン酸）、商品名「ＮＡＡ（登録商標）２２２Ｓ」を水酸化カリウムで中和したもの。）と、を使用した。
【００６１】
直鎖アルキルベンゼンスルホン酸塩（ＬＡＳ）には、ライオン（株）製の商品名「ライポン（登録商標）ＰＳ−８６０」を使用した。
【００６２】
ＬＡＳ−トリエタノールアミンには、ライオン（株）製の商品名「ライポン（登録商標）ＬＴ−２７０」を使用し、ラウリル硫酸トリエタノールアミンには、ライオン（株）製の商品名「サンノール（登録商標）ＬＭ−１１４０Ｔ」を使用し、ヤシ油脂肪酸ジエタノールアミドには、川研ファインケミカル（株）製の商品名「アミゾール（登録商標）ＦＤＥ」を使用し、ポリオキシエチレン（Ｅ０：９）ラウリルエーテルには、青木油脂工業（株）製の商品名「ブラウノン（登録商標）ＥＬ−１５０９Ｐ」を使用した。
【００６３】
また、テルペン系化合物には、天然オレンジ抽出油（日本フレーバー工業（株）製の商品名「オレンジオイル８８１１」）を使用した。この天然オレンジ抽出油は、Ｄ−リモネン、シトラール、（＋）−リナロールなどのテルペン成分を含有しており、全テルペン成分（有効成分）の含有割合は、９０重量％であった。
【００６４】
実施例１
ヤシ油脂肪酸カリウム塩３０重量部と、ステアリン酸カリウム（１８：０）６重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．０重量％であった。
【００６５】
実施例２〜４
ステアリン酸カリウム６重量部に代えて、ベヘン酸カリウム（２２：０）６重量部（実施例２）、パルミチン酸カリウム（１６：０）６重量部（実施例３）、またはミリスチン酸カリウム（１４：０）６重量部（実施例４）を配合したこと以外は、実施例１と同様にして、濃縮洗剤組成物を得た。これら洗剤組成物は、いずれも、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．０重量％であった。
【００６６】
実施例５
ステアリン酸カリウム（１８：０）１６重量部と、オレイン酸カリウム（１８：１）２重量部と、カプリル酸カリウム（８：０）１８重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．６重量％であった。
【００６７】
実施例６
ステアリン酸カリウム（１８：０）１８重量部と、カプリル酸カリウム（８：０）１８重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、０重量％であった。
【００６８】
実施例７
ステアリン酸カリウム（１８：０）の配合量を６重量部とし、オレイン酸カリウム（１８：１）の配合量を２重量部とし、カプリル酸カリウム（８：０）の配合量を２８重量部としたこと以外は、実施例５と同様にして、濃縮（無希釈）洗剤組成物を得た。この洗剤組成物は、アニオン界面活性剤の総量に対する第１の脂肪酸塩の含有割合が、２２重量％であり、第２の脂肪酸塩の含有割合が、７８重量％であった。また、アニオン界面活性剤の総量に対する不飽和脂肪酸塩の含有割合が、５．６重量％であった。
【００６９】
実施例８
ステアリン酸カリウム（１８：０）３４重量部と、オレイン酸カリウム（１８：１）２重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、１００重量％であり、第２の脂肪酸塩の含有割合が、０重量％であった。また、アニオン界面活性剤の総量に対する不飽和脂肪酸塩の含有割合が、５．６重量％であった。
【００７０】
実施例９
ヤシ油脂肪酸カリウム塩３０重量部と、ヤシ油脂肪酸ナトリウム塩６重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、４０重量％であり、第２の脂肪酸塩の含有割合が、６０重量％であった。また、アニオン界面活性剤の総量に対する不飽和脂肪酸塩の含有割合が、６．０重量％であった。
【００７１】
実施例１０
ヤシ油脂肪酸カリウム塩２０重量部と、ステアリン酸カリウム（１８：０）６重量部と、直鎖アルキルベンゼンスルホン酸塩（ＬＡＳ）５重量部と、エタノール１５重量部と、天然オレンジ抽出油５重量部と、炭酸カリウム２重量部と、水４７重量部とを配合し、攪拌、混合して、濃縮（無希釈）洗剤組成物を得た。この洗剤組成物は、アニオン界面活性剤の総量に対する第１の脂肪酸塩の含有割合が、５４重量％であり、第２の脂肪酸塩の含有割合が、４６重量％であった。また、アニオン界面活性剤の総量に対する不飽和脂肪酸塩の含有割合が、４．６重量％であった。
【００７２】
実施例１１
ヤシ油脂肪酸カリウム塩３０重量部と、ステアリン酸カリウム（１８：０）６重量部と、エタノール１５重量部と、天然オレンジ抽出油５重量部と、水４４重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．０重量％であった。
【００７３】
比較例１
ヤシ油脂肪酸カリウム塩３０重量部と、ステアリン酸カリウム（１８：０）６重量部と、エタノール１５重量部と、炭酸カリウム２重量部と、水４７重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．０重量％であった。
【００７４】
比較例２
ヤシ油脂肪酸カリウム塩３０重量部と、ステアリン酸カリウム（１８：０）６重量部と、天然オレンジ抽出油５重量部と、炭酸カリウム２重量部と、水５７重量部とを配合し、攪拌、混合して、濃縮（無希釈）洗剤組成物を得た。この洗剤組成物は、アニオン界面活性剤の総量に対する第１の脂肪酸塩の含有割合が、５０重量％であり、第２の脂肪酸塩の含有割合が、５０重量％であった。また、アニオン界面活性剤の総量に対する不飽和脂肪酸塩の含有割合が、５．０重量％であった。
【００７５】
比較例３
カプリン酸カリウム（８：０）３６重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩の含有割合が、０重量％であり、第２の脂肪酸塩の含有割合が、１００重量％であった。また、アニオン界面活性剤の総量に対する不飽和脂肪酸塩の含有割合が、０重量％であった。
【００７６】
比較例４
ＬＡＳ−トリエタノールアミン１２重量部と、ヤシ油脂肪酸ジエタノールアミド８重量部と、ポリオキシエチレン（Ｅ０：９）ラウリルエーテル１６重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩、第２の脂肪酸塩、および不飽和脂肪酸塩の含有割合が、いずれも０重量％であった。
【００７７】
比較例５
ラウリル硫酸トリエタノールアミン１２重量部と、ヤシ油脂肪酸ジエタノールアミド８重量部と、ポリオキシエチレン（Ｅ０：９）ラウリルエーテル１６重量部と、エタノール１５重量部と、天然オレンジ抽出油５重量部と、炭酸カリウム２重量部と、水４２重量部とを配合し、攪拌、混合して、濃縮（無希釈）洗剤組成物を得た。この洗剤組成物は、アニオン界面活性剤の総量に対する第１の脂肪酸塩、第２の脂肪酸塩、および不飽和脂肪酸塩の含有割合が、いずれも０重量％であった。
【００７８】
実施例１〜１１および比較例１〜５で得られた洗剤組成物の組成を、表１に示す。
【００７９】
【表１】
2009062421.tif 000002
＊１：「ヤシ油脂肪酸塩」の欄に、カッコを付して記載した「第１の脂肪酸塩」欄、「第２の脂肪酸塩」欄、および「不飽和脂肪酸塩」欄の含有量は、いずれも、実際に配合されたヤシ油脂肪酸塩において含まれている量（理論値）を示している。
【００８０】
＊２：「第１の脂肪酸塩の割合」は、アニオン界面活性剤の総量に対する第１の脂肪酸塩の含有割合（重量％）を示している。
【００８１】
＊３：「不飽和脂肪酸塩の割合」は、アニオン界面活性剤の総量に対する不飽和脂肪酸塩の含有割合（重量％）を示している。
【００８２】
＊４：実施例９における「ヤシ油脂肪酸」欄は、ヤシ油脂肪酸カリウム塩と、ヤシ油脂肪酸ナトリウム塩との含有量の合計を示している。
【００８３】
＊５：実施例１０における「他の界面活性剤」欄は、アニオン界面活性剤である直鎖アルキルベンゼンスルホン酸塩（ＬＡＳ）の含有量を示している。
【００８４】
＊６：比較例４における「他の界面活性剤」欄は、アニオン界面活性剤であるＬＡＳ−トリエタノールアミンと、ノニオン界面活性剤であるヤシ油脂肪酸ジエタノールアミドと、ノニオン界面活性剤であるポリオキシエチレン（Ｅ０：９）ラウリルエーテルとを、３：２：４の重量割合で混合した混合物の含有量を示している。
【００８５】
＊７：比較例５における「他の界面活性剤」欄は、アニオン界面活性剤であるラウリル硫酸トリエタノールアミンと、ヤシ油脂肪酸ジエタノールアミドと、ポリオキシエチレン（Ｅ０：９）ラウリルエーテルとを、３：２：４の重量割合で混合した混合物の含有量を示している。
【００８６】
物性評価
実施例１〜１１および比較例１〜５の洗剤組成物について、それぞれ、原液（無希釈）、４倍希釈液、および８倍希釈液の３種の試験液を作製した。希釈には、蒸留水を使用した。
【００８７】
（１）  洗浄性の評価
ガラス板（縦１００ｍｍ、横１００ｍｍ、厚さ５ｍｍ）の一方側表面に、牛脂０．１ｇを均一に塗布し、室温で１時間放置して、テストピースとした。このテストピースを、各実施例および比較例の３種の試験液（液温４０℃）に、それぞれ５分間浸漬後、テストピースを４０℃の流水で洗浄した。洗浄後、テストピースの表面を目視で観察し、下記の基準で、洗浄性を評価した。
◎：牛脂の付着の痕跡を全く観察できなかった。
○：牛脂の付着（残存）面積は、浸漬前の面積に対し、２０％未満であった。
△：牛脂の付着（残存）面積は、浸漬前の面積に対し、２０％以上５０％未満であった。
×：牛脂の付着（残存）面積は、浸漬前の面積に対し、５０％以上であった。
【００８８】
（２）  安定性の評価
各実施例および比較例の３種の試験液を、それぞれ室温２０℃、湿度６５％ＲＨの雰囲気下で、３０日間放置した。その後、試験液の状態を目視で観察し、下記の基準で、安定性を評価した。
◎：試験液の濁りが全く観察されなかった。
○：試験液の濁りが観察されたが、その程度が極めてわずかであった。（試験液の放置の前後において、波長４８０ｎｍでの光透過率の減少率が、２０％未満であった。）
△：試験液の濁りが観察されたが、実用上支障のない程度であった。（試験液の放置の前後において、波長４８０ｎｍでの光透過率の減少率が、２０％以上４０％未満であった。）
×：試験液の濁りが顕著であった。（試験液の放置の前後において、波長４８０ｎｍでの光透過率の減少率が、４０％以上であった。）
以上の評価結果を、表２に示す。
【００８９】
【表２】
2009062421.tif 000003
本発明は、以上の記載に限定されるものではなく、特許請求の範囲に記載した事項の範囲において、種々の設計変更を施すことが可能である。